(57)【要約】【課題】ユーザが、タッチパネルディスプレイのソフトテンキーの配置と大きさを直感的に操作設定することができる携帯端末を提供する。【解決手段】ユーザが携帯端末のタッチパネルディスプレイ１０の例えば押下点Ｐ１、Ｐ２の２箇所を同時押しすると、制御部２０(不図示)のテンキー領域設定機能２２（不図示）は、この２箇所の位置に合わせて、（Ｂ）のように、ソフトキーであるテンキー群の対角上のキーＡとキーＣが配置されるようにテンキー群全体を配置して表示する。更に、ユーザが２箇所同時押下を継続のまま、（Ｃ）のように、２箇所の押下点をＰ１１とＰ１２に移動すると、テンキー領域設定機能２２（不図示）は、その位置に応じて、テンキー群の対角上のキーＡとキーＣを再配置して表示する。【選択図】  図１
2011124688.tif 000002
【特許請求の範囲】
【請求項１】
表示部と操作入力部とが重畳したタッチパネルディスプレイと、
前記操作入力部の２箇所同時押しを検出したとき、当該２箇所の座標位置にキー群の対角上の２個のキー位置を配置し更にキー群全体の各キーの配置を設定してこの設定したキー群を前記表示部に表示させるキー領域設定手段と
を具備することを特徴とする携帯端末。
【請求項２】
表示部と操作入力部とが重畳したタッチパネルディスプレイと、
前記操作入力部の２箇所同時押しを検出したとき、当該２箇所の座標位置にキー群の対角上の２個のキー位置を配置し更にキー群全体の各キーの配置を設定してこの設定したキー群を前記表示部に表示させ、前記２箇所同時押しが引き続き継続している間は、当該２箇所の座標位置の変動に応じて当該２箇所の座標位置にキー群の対角上の２個のキー位置が配置されるように前記キー群全体の配置と大きさを変えて表示するキー領域設定手段と
を具備することを特徴とする携帯端末。
【請求項３】
表示部と操作入力部とが重畳したタッチパネルディスプレイと、
前記操作入力部の２箇所の非同時押しを検出したとき、当該２箇所の座標位置にキー群の対角上の２個のキー位置を配置し更にキー群全体の各キーの配置を設定してこの設定したキー群を前記表示部に表示させるキー領域設定手段と
を具備することを特徴とする携帯端末。
【請求項４】
表示部と操作入力部とが重畳したタッチパネルディスプレイと、
前記操作入力部の４箇所の非同時押しを検出したとき、当該４箇所中の対角上に位置する２箇所の座標位置にキー群の対角上の２個のキー位置を配置し更にキー群全体の各キーの配置を設定してこの設定したキー群を前記表示部に表示させるキー領域設定手段と
を具備することを特徴とする携帯端末。
【請求項５】
前記キー領域設定手段は、前記４箇所中の対角上に位置する２箇所の座標位置として、前記４箇所中の２つの対角線の内、長い方の対角上に位置する２箇所の座標位置とすることを特徴とする請求項４記載の携帯端末。
【請求項６】
表示部と操作入力部とが重畳したタッチパネルディスプレイと、
前記操作入力部の４箇所の非同時押しを検出したとき、当該４箇所で囲まれる領域内に収まる長方形の領域を算出し、その領域にキー群全体の各キーの配置を設定してこの設定したキー群を前記表示部に表示させるキー領域設定手段と
を具備することを特徴とする携帯端末。
【請求項７】
表示部と操作入力部とが重畳したタッチパネルディスプレイと、
前記操作入力部の４箇所の非同時押しを検出したとき、当該４箇所のそれぞれの位置にキー群全体の４隅のキー位置それぞれを配置し更にキー群全体の各キーの配置を設定してこの設定したキー群を前記表示部に表示させるキー領域設定手段と
を具備することを特徴とする携帯端末。
【発明の詳細な説明】
【技術分野】
【０００１】
本発明は、タッチパネルディスプレイのソフトキー部分の大きさとレイアウトを任意に設定できる携帯端末に関する。
【背景技術】
【０００２】
タッチパネルディスプレイは、表示素子と透明なタッチセンサが重畳した構造のディスプレイであり、ディスプレイ上の任意の位置に操作部、いわゆるソフトキーを配置することができる。タッチパネルディスプレイを搭載した携帯端末では、タッチパネルディスプレイの大型化が進んでいる。タッチパネルディスプレイが大型化する中、手の小さい子供などは、片手で操作する場合、テンキー等の操作キー領域の端まで指が届きにくい。
【０００３】
このような問題に対応するために、ユーザ操作により、テンキー等の操作キーの配置や大きさを任意に変える携帯端末がある（例えば、特許文献１参照。）。この特許文献１の第１実施形態（段落００４９〜５２）の図６のようにユーザがタッチパネルディスプレイ上で円形状の線図を描くと、図６（Ａ）又は（Ｂ）のように、円形状の線図内にテンキー群の四隅のキーが入る大きさのキー群が自動で選択されて、その位置に自動配置される。
【先行技術文献】
【特許文献】
【０００４】
【特許文献１】特開２００８−１１３１４８号公報（段落００４９〜５２、図６）
【発明の概要】
【発明が解決しようとする課題】
【０００５】
特許文献１の携帯端末では、ユーザは円形状の線図を描くが、円形状の線図だと、テンキーの四角いキー配置と１対１に対応していないので、直感的にユーザが意図したとおりの大きさと配置にするのがむずかしいという問題がある。
【０００６】
本発明は、ユーザが所望する大きさと配置のキー群を、直感的に操作設定することができる携帯端末を提供することを目的とする。
【課題を解決するための手段】
【０００７】
上記目的を達成するために、本発明の携帯端末は、表示部と操作入力部とが重畳したタッチパネルディスプレイと、前記操作入力部の２箇所同時押しを検出したとき、当該２箇所の座標位置にキー群の対角上の２個のキー位置を配置し更にキー群全体の各キーの配置を設定してこの設定したキー群を前記表示部に表示させるキー領域設定手段とを具備することを特徴とする。
【発明の効果】
【０００８】
本発明によれば、ユーザが所望する大きさと配置のキー群を、直感的に操作設定することができる。
【図面の簡単な説明】
【０００９】
【図１】本発明の実施例１に係る携帯端末１００のテンキー領域設定操作を説明する図。
【図２】本発明の実施例２に係る携帯端末１００のテンキー領域設定操作を説明する図。
【図３】本発明の実施例１及び実施例２に係る携帯端末１００のブロック図。
【図４】本発明の実施例１及び実施例２に係る携帯端末１００の基準テンキー記憶部２１および確定テンキー記憶部２３を説明する図。
【図５】本発明の実施例１に係るテンキー領域設定機能２２の動作フローチャート。
【図６】本発明の実施例２に係るテンキー領域設定機能２２の動作フローチャート。
【発明を実施するための形態】
【００１０】
図１は、本発明の実施例１に係る携帯端末１００のテンキー領域設定操作を説明する図である。タッチパネルディスプレイ１０は、表示部１１（不図示）の上に、透明なタッチパネル式の操作入力部１２（不図示）を重畳した構造であり、任意の位置に任意の大きさのソフトキー群を設定することができる。
【００１１】
実施例１では、ユーザがタッチパネルディスプレイ１０の２箇所を同時押しして、それに合わせてテンキー群の大きさと配置が自動生成される例である。なお、ここで同時押しとは、操作入力部１２が複数点の接触を検知していることを指し、複数点の接触開始が同じタイミングでなくても良い。
【００１２】
テンキー領域設定のモードにおいて、ユーザが、まず、（Ａ）に示すように、例えば、押下点Ｐ１とＰ２を同時に押下すると、この２箇所の位置に合わせて、（Ｂ）のように、ソフトキーであるテンキー群の対角上のキーＡとキーＣが配置されるようにテンキー群全体が配置されて表示される。
【００１３】
ユーザは、このテンキー群の配置と大きさを更に調整したい場合には、そのまま２箇所の同時押下を継続したまま、（Ｃ）のように、２箇所の押下点をＰ１１とＰ１２に移動すると、その位置に応じて、テンキー群の対角上のキーＡとキーＣが再配置されるようにテンキー群全体が表示される。
【００１４】
２箇所の押下点の移動はユーザ操作なので、テンキー群の縦横比は、常時一定にはならないので、縦横独立して拡大または縮小する。（Ｃ）の例では、縦横共に拡大しているが、横の拡大比率が縦の拡大比率よりも大きい例である。
【００１５】
ユーザが２箇所同時押下をやめた時点で、そのときのテンキー群の大きさと配置が、その後のテンキー群の大きさと配置として確定する。
【００１６】
実施例１によれば、押下点Ｐ１とＰ２が、テンキー群の対角上のキーＡとキーＣに対応するので、ユーザにとってわかりやすいキー配置ができる。また、最初の２箇所同時押下で設定されたキー配置を更に調整したい場合には、そのまま２箇所の同時押下を継続したまま、押下点を移動することにより配置を変更することができ、２箇所同時押下だけの一連の操作で、簡単にキー配置を設定することができる。
【００１７】
図２は、本発明の実施例２に係る携帯端末１００のテンキー領域設定操作を説明する図である。実施例２では、ユーザがタッチパネルディスプレイ１０の４箇所を１個ずつ非同時に押下して、それに合わせてテンキー群の大きさと配置が自動生成される例である。
【００１８】
キー領域設定のモードにおいて、ユーザが、まず、（Ａ）に示すように、４個の押下点Ｐ１、Ｐ２、Ｐ３、Ｐ４を非同時に次々と押下すると、この４個の押下点中の対角上に位置するＰ１とＰ３の位置に合わせて、（Ｂ）のように、ソフトキーであるテンキー群の対角上のキーＡとキーＣが配置されるようにテンキー群全体が表示され、大きさと配置が確定する。
【００１９】
なお、４個の押下点中の他の対角上に位置するＰ２とＰ４の位置に合わせて、テンキー群の対角上のキーＢとキーＤの位置が配置され、更にテンキー群全体の各キーの配置が設定されるようにしてもよい。
【００２０】
また、ユーザが４箇所ではなく、２箇所の押下点Ｐ１、Ｐ３を１個ずつ非同時に押下して、それに合わせてテンキー群の対角上のキーＡとキーＣが配置されるようにしてもよい。
【００２１】
実施例２によれば、同時押しを検出する必要がなくて、非同時押しの検出で、ユーザにとってわかりやすいキー位置ができる。
【００２２】
次に、図１および図２のキー領域設定を実現するための構成について説明する。  
図３は、本発明の実施例１及び実施例２に係る携帯端末１００のブロック図である。携帯端末１００は、タッチパネルディスプレイ１０、制御部２０、表示制御部３０などから構成される。
【００２３】
タッチパネルディスプレイ１０は、表示部１１の上に透明なタッチパネル式の操作入力部１２が重畳、または表示部１１に操作入力部１２を内蔵した構造などがある。タッチパネルディスプレイ１０は、Ｘ座標Ｘ０−Ｘｍの範囲、Ｙ座標Ｙ０−Ｙｎの範囲で座標位置が表される。操作入力部１２は、押下されたポイントの座標信号１２Ａを出力する。操作入力部１２は、実施例１では、２箇所同時押しを検出できるタイプであり、２種類の座標信号１２Ａを出力する。操作入力部１２は、実施例２では、１箇所押しの非同時押しを検出できるタイプであり、１種類の座標信号１２Ａを出力する。
【００２４】
制御部２０は、図示しないＣＰＵ、ＲＯＭ、ＲＡＭなどから構成され、ＲＯＭに記憶されているソフトウェアに基づいて、テンキー領域設定機能２２、押下キー判別機能２４などを実行する。また、制御部２０は、記憶手段として、基準テンキー記憶部２１、確定テンキー記憶部２３を有する。
【００２５】
テンキー領域設定機能２２は、操作入力部１２の押下されたポイントの座標信号１２Ａをチェックして、その状態に応じてテンキー群の配置と大きさを設定して、確定テンキー記憶部２３に記憶すると共に、テンキー画像２２Ａを出力して、表示制御部３０を介して表示部１１に表示する。この詳細については、後の図５、図６のフローチャートで動作を説明する。
【００２６】
押下キー判別機能２４は、テンキー領域が確定した後、確定テンキー記憶部２３に記憶されているテンキー群の配置と大きさを基に、操作入力部１２の押下されたポイントの座標信号１２Ａをチェックして、テンキー群のどのキーが押下されたかを判別して、押下キー信号２４Ａを出力する。この機能は一般的に行われている機能である。  
表示制御部３０は、表示部１１のコントローラであり、ＬＣＤコントローラなどである。
【００２７】
図４は、本発明の実施例１及び実施例２に係る携帯端末１００の基準テンキー記憶部２１および確定テンキー記憶部２３を説明する図である。  
（Ａ）は基準テンキー記憶部２１を説明する図である。テンキー群は、数字キーやファンクションキーなどから構成されるキー群であり、全体の配置が略長方形であり、四隅にキーＡ、キーＢ、キーＣ、キーＤがある。キーＡとキーＣは対角上の関係であり、キーＢとキーＤも対角上の関係である。
【００２８】
基準テンキー記憶部２１は、Ｘ方向に関して、キーＡ、キーＢの配置を基準０％として、キーＣ、キーＤの配置を１００％とし、他のキーの配置も記憶する。また、Ｙ方向に関して、キーＡ、キーＤの配置を基準０％として、キーＢ、キーＣの配置を１００％とし、他のキーの配置も記憶する。これにより、各キーの相互配置の位置関係の比率が記憶される。
【００２９】
（Ｂ）は、確定テンキー記憶部２３を説明する図である。図１、図２で説明したように、タッチパネルディスプレイ１０上の最終的に確定したテンキー群の配置が確定テンキー記憶部２３に記憶される。
【００３０】
タッチパネルディスプレイ１０は、Ｘ座標Ｘ０−Ｘｍの範囲、Ｙ座標Ｙ０−Ｙｎの範囲で座標位置が表される。そして、確定したテンキー群の座標がタッチパネルディスプレイ１０の座標上の位置として確定テンキー記憶部２３に記憶される。
【００３１】
図５は、本発明の実施例１に係るテンキー領域設定機能２２の動作フローチャートである。ユーザによりテンキー領域設定モードが起動されると、テンキー領域設定機能２２が開始する。
【００３２】
テンキー領域設定機能２２は、タッチパネルディスプレイ１０の操作入力部１２の押下されたポイントの座標信号１２Ａをチェックして、２箇所同時に押下されたかをチェックする（ステップＳ１）。２箇所同時押下であれば、この２箇所の座標位置を取り込む（ステップＳ２）。
【００３３】
そして、その２箇所（図１（Ａ）の例では、Ｐ１、Ｐ２）の座標位置にテンキー群の対角上の２個のキー位置（図１（Ｂ）のキーＡ、キーＣ）を配置し、更にテンキー群全体の各キーの配置を設定する（図１（Ｂ））（ステップＳ３）。
【００３４】
このステップＳ３の設定は、基準テンキー記憶部２１のキーＡの比率座標（０％、０％）とキーＣの比率座標（１００％、１００％）を、タッチパネルディスプレイ１０上の押下点Ｐ１、Ｐ２の座標位置にそれぞれ当てはめ、他の各キーを比率座標に応じて、タッチパネルディスプレイ１０上の座標に当てはめることでなされる。
【００３５】
そして、そのテンキー群の各キーの配置を確定テンキー記憶部２３に記憶し（ステップＳ４）、そのテンキー群を表示制御部３０を介して表示部１１に表示する（ステップＳ５）。
【００３６】
以上の処理により、ユーザが押下した２箇所の押下点がテンキー群の対角上のキーに対応するので、ユーザにとってわかりやすいキー配置ができる。
【００３７】
次に、テンキー領域設定機能２２は、タッチパネルの押下状態をチェックする（ステップＳ６）。２箇所同時押下が継続していれば、押下点が同じ位置であれ、移動した位置であるかに関わらず、再び、ステップＳ２に戻る。ステップＳ２〜Ｓ５では、再び、現在の２箇所の座標位置を読み取って、この２箇所の座標位置にテンキー群の対角上の２個のキー位置が配置されるようにテンキー群全体の各キーの配置を設定して表示する。２箇所同時押下が継続している間は、ステップＳ２~Ｓ６のループを繰り返す。
【００３８】
このループの処理により、ユーザは、最初のステップＳ１〜Ｓ５の２箇所同時押下に引き続いて、ステップＳ２~Ｓ６のループで、２箇所同時押下の位置を変えることにより、自在にテンキー群を好みの配置と大きさに設定することができる。
【００３９】
次に、テンキー領域設定機能２２は、ステップＳ５で２箇所非同時押下、すなわち、１箇所押下または無押下になったら、現在設定されて表示しているテンキー表示の領域の外に、又は重ねて、「キー領域を再設定しますか？」と「再設定」キーと「終了」キーを表示する（ステップＳ７）。
【００４０】
そして、テンキー領域設定機能２２は、Ｓ７の「再設定」キーと「終了」キーの表示座標位置が押下されたかどうかをチェックし（ステップＳ８）、「再設定」キーが押下されれば、最初のステップＳ１に戻って、再設定を開始する。ステップＳ８で「終了」キーが押下されれば、確定したテンキー群のみの表示を行って（ステップＳ９）、終了する。
【００４１】
なお、ステップＳ７、Ｓ８、Ｓ９は削除して、ステップＳ６で２箇所非同時押下、すなわち、１箇所押下または無押下になった時点で、キー領域の設定を終了してもよい。
【００４２】
実施例１によれば、押下点Ｐ１とＰ２が、テンキー群の対角上のキーＡとキーＣに対応するので、ユーザにとってわかりやすいキー配置ができる。また、最初の２箇所同時押下で設定されたキー配置を更に調整したい場合には、そのまま２箇所の同時押下を継続したまま、押下点を移動することにより配置を変更することができ、２箇所同時押下だけの一連の操作で、簡単にキー配置を設定することができる。
【００４３】
図６は、本発明の実施例２に係るテンキー領域設定機能２２の動作フローチャートである。ユーザによりテンキー領域設定モードが起動されると、テンキー領域設定機能２２が開始する。
【００４４】
テンキー領域設定機能２２は、タッチパネルディスプレイ１０の操作入力部１２の押下されたポイントの座標信号１２Ａをチェックして、４箇所が押下されたかをチェックする（ステップＳ２１）。４箇所が押下されれば、この４箇所の座標位置を取り込む（ステップＳ２２）。
【００４５】
そして、その４箇所の内の対角上の２箇所（図２（Ａ）の例では、Ｐ１、Ｐ３）を検出し、この２箇所の座標位置にテンキー群の対角上の２個のキー位置（図２（Ｂ）のキーＡ、キーＣ）を配置し、更にテンキー群全体の各キーの配置を設定する（図２（Ｂ））（ステップＳ２３）。
【００４６】
このステップＳ２３の設定は、基準テンキー記憶部２１のキーＡの比率座標（０％、０％）とキーＣの比率座標（１００％、１００％）を、タッチパネルディスプレイ１０上の押下点Ｐ１、Ｐ３の座標位置に当てはめ、他の各キーを比率座標に応じて、タッチパネルディスプレイ１０上の座標に当てはめることでなされる。
【００４７】
そして、そのテンキー群の各キーの配置を確定テンキー記憶部２３に記憶し（ステップＳ２４）、そのテンキー群を表示制御部３０を介して表示部１１に表示する（ステップＳ２５）。
【００４８】
以上の処理により、ユーザが押下した４箇所の押下点がテンキー群の四隅のキーに対応するので、ユーザにとってわかりやすいキー位置ができる。
【００４９】
次に、テンキー領域設定機能２２は、現在設定されて表示しているテンキー表示の領域の外に、又は重ねて、「キー領域を再設定しますか？」と「再設定」キーと「終了」キーを表示する（ステップＳ２６）。
【００５０】
そして、テンキー領域設定機能２２は、Ｓ２６の「再設定」キーと「終了」キーの表示座標位置が押下されたかどうかをチェックし（ステップＳ２７）、「再設定」キーが押下されれば、最初のステップＳ２１に戻って、再設定を開始する。ステップＳ２７で「終了」キーが押下されれば、確定したテンキー群のみの表示を行って（ステップＳ２８）、終了する。
【００５１】
なお、４個の押下点中の他の対角上に位置するＰ２とＰ４の位置に合わせて、テンキー群の対角上のキーＢとキーＤの位置を配置し、更にテンキー群全体の各キーの配置を設定するようにしてもよい。
【００５２】
また、ユーザが４箇所ではなく、２箇所の押下点Ｐ１、Ｐ３を１個ずつ非同時に押下して、それに合わせてテンキー群の対角上のキーＡとキーＣが配置されるようにしてもよい。
【００５３】
また、４箇所の押下点Ｐ１、Ｐ２、Ｐ３、Ｐ４内に収まる長方形のエリアを算出して、そのエリアに合わせてテンキー群が配置されるようにしてもよい。
【００５４】
また、４箇所の押下点Ｐ１、Ｐ２、Ｐ３、Ｐ４の中で、最も長い対角線を成す２点を算出して、それに合わせてテンキー群が配置されるようにしてもよい。
【００５５】
以上の例は、長方形のテンキー群の配置例であるが、４箇所の押下点Ｐ１、Ｐ２、Ｐ３、Ｐ４が長方形ではなくて、いびつな四辺形であっても、それぞれのポイントにテンキー群のキーＡ、キーＢ、キーＣ、キーＤが配置されるようにしてもよい。その場合は、ステップＳ２３での設定は、まず、基準テンキー記憶部２１のキーＡを押下点Ｐ１の座標（ＸＰ１、ＹＰ１）に当てはめ、キーＢを押下点Ｐ２の座標（ＸＰ２、ＹＰ２）に当てはめるようにずらし、キーＣを押下点Ｐ３の座標（ＸＰ３、ＹＰ３）に当てはめるようにずらし、キーＤを押下点Ｐ４の座標（ＸＰ４、ＹＰ４）に当てはめるようにずらし、それを基準に他の各キーも配置する演算処理を行うことでなされる。それにより、面白い配置のテンキー群とすることができる。
【００５６】
実施例２によれば、同時押しを検出できる操作入力部１２ではなく、非同時押しを検出できる操作入力部１２を用いることができ、ユーザにとってわかりやすいキー配置ができる。
【００５７】
なお、実施例１、実施例２共、テンキーに限ることはなく、他のキー群であってもよい。また、携帯端末として、携帯電話機、ＰＨＳ、その他の電子機器に適用できる。
【符号の説明】
【００５８】
１０  タッチパネルディスプレイ
１１  表示部
１２  操作入力部
２０  制御部
２１  基準テンキー記憶部
２２  テンキー領域設定機能
２３  確定テンキー記憶部
２４  押下キー判別機能
３０  表示制御部
１００  携帯端末
【図１】
2011124688.tif 000003
【図２】
2011124688.tif 000004
【図３】
2011124688.tif 000005
【図４】
2011124688.tif 000006
【図５】
2011124688.tif 000007
【図６】
2011124688.tif 000008